(57)【要約】      （修正有）【課題】ベッド架台とベッド骨組みとが摩擦しない看護用の電動ベッドを提供する。【解決手段】電動ベッドはベッド骨組み１と、ベッド骨組みに据え付ける少なくとも一つの固定ベッド架台２と、ベッド骨組みに据え付ける少なくとも一つの折れるベッド架台３と、少なくとも一つの駆動モータ４と、ベッド骨組み１と駆動モータ４と折れるベッド架台３とを連結するリンク機構とを含み、駆動モータ４はリンク機構により折れるベッド架台３の片側を上げる同時、その反対側をベッド骨組み１に対して平行的に移動させて、折れるベッド架台３を傾けるように駆動することができる。リンク機構は支持アーム５４をも含み、支持アーム５４の一端部はベッド骨組み１に枢結され、支持アーム５４の他の端部は折れるベッド架台３に枢結され、そのため、折れるベッド架台３のその反対側は水平的に移動している場合ベッド骨組み１と接触しない。【選択図】図１
0003212415.tif 000002
【実用新案登録請求の範囲】
【請求項１】
ベッド骨組み（１）と、上記ベッド骨組みに据え付けられる少なくとも一つの固定ベッド架台（２）と、上記ベッド骨組みに据え付けられる少なくとも一つの折れるベッド架台（３）と、少なくとも一つの駆動モータ（４）と、上記ベッド骨組み（１）と上記駆動モータ（４）と上記折れるベッド架台（３）とを連結するリンク機構とを含み、
上記リンク機構により、上記駆動モータ（４）は前記折れるベッド架台（３）の片側を上げると同時に、その反対側をベッド骨組み（１）に対して水平的に移動させる電動ベッドにおいて、
上記リンク機構は支持アーム（５４）も含み、上記支持アーム（５４）の一端部はベッド骨組み（１）に枢結され、上記支持アーム（５４）の他端部は上記折れるベッド架台（３）に枢結され、よって、上記折れるベッド架台（３）のその反対側が水平に移動している場合ベッド骨組み（１）と接触しないようになることを特徴とする電動ベッド。
【請求項２】
上記リンク機構はまた、
上記ベッド骨組み（１）に枢結され、また、上記駆動モータ（４）と連結した横方向の駆動バー（５３）と、
その一端部が上記横方向の駆動バー（５３）に固定され，他端部が上記折れるベッド架台（３）にスライドできるように連接された第一連接ロッド（５１）と、
その一端部が上記ベッド骨組み（１）に枢結され、他端部が上記折れるベッド架台（３）に枢結された第二連接ロッド（５２）と、を含み、
上記横方向の駆動バー（５３）は上記駆動モータ（４）により駆動されて、上記横方向の駆動バー（５３）の中心軸周りに、上記ベッド骨組み（１）に対して回転し、従って、その上に固定された上記第一連接ロッド（５１）が上げられ、よって、上記折れるベッド架台（３）の片側が上がり、この場合、上記第二連接ロッド（５２）により、上記折れるベッド架台（３）の反対側が上記ベッド骨組み（１）に対して水平に移動したことを特徴とした請求項１に記載の電動ベッド。
【請求項３】
上記折れるベッド架台の、上記ベッド骨組みに対して水平に移動できる片側には、摩擦ヒールブロック（３２）が設けられていることを特徴とした請求項１または２に記載の電動ベッド。
【請求項４】
上記摩擦ヒールブロック（３２）にはフランジ（３２１）が設けられていることを特徴とした請求項３に記載の電動ベッド。
【請求項５】
上記摩擦ヒールブロック（３２）には固定用穴（３２２）が設けられていることを特徴とした請求項３に記載の電動ベッド。
【請求項６】
上記折れるベッド架台（３）にはスライドレール（３１）が設けられ、上記第一連接ロッドにはスライドブロック（５１１）が設けられ、上記スライドブロック（５１１）は上記スライドレール（３１）に沿って移動できることを特徴とした請求項２に記載の電動ベッド。
【請求項７】
上記ベッド骨組み（１）には二つの縦方向のロッド（１１）があり、上記支持アーム（５４）は回転可能に上記縦方向のロッド（１１）に設けられていることを特徴とした請求項２に記載の電動ベッド。
【請求項８】
上記横方向の駆動バー（５３）は回転可能に二つの上記縦方向のロッド（１１）の間に設けられていることを特徴とした請求項７に記載の電動ベッド。
【請求項９】
上記折れるベッド架台（３）の片側が最高位置まで上げられた時、その水平に移動した反対側の水平移動距離Ｓは５ｃｍであることを特徴とした請求項１に記載の電動ベッド。
【請求項１０】
上記電動ベッドにはガードレール（６）が設けられていることを特徴とした請求項１に記載の電動ベッド。
【考案の詳細な説明】
【技術分野】
【０００１】
この実用新案は電動ベッドに関し、特に看護するための電動ベッドに関するものである。
【背景技術】
【０００２】
既存の電動ベッドでは、大部分の電動ベッドは折り畳む場合ベッド板あるいはベッド架台の片側しか上げられなく、その反対側はベッド骨組みあるいは地面に対して移動しなくなる。実際使う場合、もし反対側のベッド板あるいはベッド架台が移動しないなら、ベッド板あるいはベッド架台の上に敷設したマットレスには褶曲あるいは突起が形成しやすいため、快適なベッドにならなく、実用寿命も短くなる。
【０００３】
そのため、現在売っている電動ベッドはベッド板あるいはベッド架台の片側を上げると同時、反対側をベッド骨組みあるいは地面に対して少し水平に移動させて、上記の欠陥を緩和させる技術を利用した。
【０００４】
しかし、このような技術を使う場合、以下のような問題がある、すなわち、ベッド板あるいはベッド架台の片側が上げられないままベッド骨組みに対して水平に移動すると、ベッド板あるいはベッド架台はベッド骨組みと摩擦して、ベッド板あるいはベッド架台と、ベッド骨組みと、モータとの実用寿命は短くなって、騒音も大きく出て、煩くなる。
【考案の概要】
【考案が解決しようとする課題】
【０００５】
この実用新案はベッド架台の片側が固定される欠陥を克服して、またベッド架台とベッド骨組みとが摩擦しない電動ベッドを提供することを目的とするものである。
【課題を解決するための手段】
【０００６】
上記の技術課題を解決するため、この実用新案の電動ベッドは以下のようにした。
＜１＞少なくともベッド骨組みと、上記のベッド骨組みに据え付けられる少なくとも一つの固定ベッド架台と、上記のベッド骨組みに据え付けられる少なくとも一つの折れるベッド架台と、少なくとも一つの駆動モータと、上記のベッド骨組みと上記の駆動モータと上記の折れるベッド架台とを連結するリンク機構とを含み、
リンク機構により、駆動モータは折れるベッド架台の片側を上げると同時、その反対側をベッド骨組みに対して水平に移動させる電動ベッドにおいて、
リンク機構は支持アームも含み、上記の支持アームの一端部はベッド骨組みに枢結され、上記の支持アームの他端部は折れるベッド架台に枢結され、よって、折れるベッド架台のその反対側が水平に移動している場合ベッド骨組みと接触しないようになることを特徴とする電動ベッド。
【０００７】
また、＜２＞上記のリンク機構はまた、
ベッド骨組みに枢結されると同時に、駆動モータと連結された横方向の駆動バーと、
その一端部が上記の横方向の駆動バーに固定され，他の端部が折れるベッド架台にスライドできるように連接された第一連接ロッドと、
その一端部がベッド骨組みに枢結され、他の端部が折れるベッド架台に枢結された第二連接ロッドとを含み、
横方向の駆動バーは駆動モータにより駆動されて、横方向の駆動バーの中心軸周りに、ベッド骨組みに対して回転し、従って、その上に固定された第一連接ロッドが上げられ、折れるベッド架台の片側が上げられ、この場合、第二連接ロッドにより、折れるベッド架台の反対側が上記のベッド骨組みに対して水平に移動することを特徴とした＜１＞に記載の電動ベッド。
【０００８】
また、リンク機構には第一連接ロッドと、第二連接ロッドと、支持アームとをみんな対になるように設け、二つ設けることは好ましい。
【０００９】
＜３＞折れるベッド架台の、ベッド骨組みに対して水平に移動できる片側には、摩擦ヒールブロックを設けることを特徴とした＜１＞あるいは＜２＞に記載の電動ベッド。そのため、折れるベッド架台が水平状態に回復した場合、折れるベッド架台とベッド骨組みとの摩擦を緩和させることができ、電動ベッドに荷重をかける場合、折れるベッド架台とベッド骨組みとの衝撃と摩擦による損害を減少することができる。
【００１０】
＜４＞摩擦ヒールブロックにはフランジを設けることを特徴とした＜３＞に記載の電動ベッド。そのため、摩擦ヒールブロックが折れるベッド架台を滑動することを防ぐことができる。
【００１１】
＜５＞摩擦ヒールブロックには固定用穴を設けることを特徴とした＜３＞に記載の電動ベッド。そのため、摩擦ヒールブロックが折れるベッド架台を滑動したり、回転したりすることを防ぐことができる。
【００１２】
＜６＞折れるベッド架台にはスライドレールを設け、第一連接ロッドにはスライドブロックを設け、スライドブロックはスライドレールに沿って移動でき、従って、第一連接ロッドの一端部と折れるベッド架台とは移動できるように連接することが実現できることを特徴とした＜２＞に記載の電動ベッド。
【００１３】
また、折れるベッド架台には凹溝を設け、第一連接ロッドにはスライドブロックを設け、スライドブロックは凹溝に沿って移動でき、従って、第一連接ロッドの一端部と折れるベッド架台とは移動できるように連接することが実現できる。
【００１４】
また、折れるベッド架台にはレールを設け、第一連接ロッドには滑車を設け、滑車はレールに沿って移動でき、従って、第一連接ロッドの一端部と折れるベッド架台とは移動できるように連接することが実現できる。
【００１５】
＜７＞ベッド骨組みには二つの縦方向のロッドがあり、各支持アームは回転可能に各縦方向のロッドに設けられていることを特徴とした＜２＞に記載の電動ベッド。好ましいのは縦方向のロッドが摩擦ヒールブロックの二つのフランジの間にあることである。そすると、摩擦ヒールブロックは縦方向のロッドと折れるベッド架台との間に介在物として効くことができる。
【００１６】
＜８＞横方向の駆動バーは回転可能に二つの上記の縦方向のロッドの間に設けられていることを特徴とした＜７＞に記載の電動ベッド。
【００１７】
また、駆動モータは二つの上記の縦方向のロッドの間に固定されている。
【００１８】
＜９＞折れるベッド架台が水平状態から当該ベッド架台の片側が上げられ、最高位置に着いた場合、その水平に移動した反対側の水平移距離Ｓは３〜８ｃｍであり、好ましくは５ｃｍであることを特徴とした＜１＞に記載の電動ベッド。
【００１９】
＜１０＞上記の電動ベッドにはガードレールを設けることを特徴とした＜１＞に記載の電動ベッド。この電動ベッドは看護用ベッドとして使う場合、手すりとして患者や老人がベッドから落ちることを避けることができる。
【００２０】
この実用新案の電動ベッドは、特に看護用電動ベッドとして、ベッド架台を折り返した場合、ベッド架台の片側があげられ、反対側が少し水平に移動して、よって、マットレスに突起が形成されることを避けると同時に、支持アームを設けることにより、ベッド架台の片側が水平に移動する場合ベッド骨組みと接触しなくなって、ベッド架台とベッド骨組みとモータとが損傷することはなくなった。したがって、この実用新案の電動ベッドは快適なベッドになって、電動ベッドとマットレスの実用寿命も長くなった。
【００２１】
この実用新案では、矛盾とコンパチブルしない状況以外、全部の特徴と変形方式と／または具体実施例はいろいろに組み合わせることができる。
【図面の簡単な説明】
【００２２】
【図１】図１は本実用新案の好ましい実施例の電動ベッドの透視図。
【図２】図２は図１における電動ベッドの側面図。
【図３ａ】図３ａ〜３ｄは図１における電動ベッドの折れるベッド架台の傾斜程度が上がる過程を示す。
【図３ｂ】図３ａ〜３ｄは図１における電動ベッドの折れるベッド架台の傾斜程度が上がる過程を示す。
【図３ｃ】図３ａ〜３ｄは図１における電動ベッドの折れるベッド架台の傾斜程度が上がる過程を示す。
【図３ｄ】図３ａ〜３ｄは図１における電動ベッドの折れるベッド架台の傾斜程度が上がる過程を示す。
【図４ａ】図４ａは折れるベッド架台が水平状態にある場合図１における電動ベッドの平面図。
【図４ｂ】図４ｂは折れるベッド架台の傾斜程度が一番大きい場合の図１における電動ベッドの平面図。
【図５】図５は折れるベッド架台の水平的に移動する片側に設ける摩擦ヒールブロックの透視図。
【図６ａ】図６ａは折れるベッド架台が水平状態にある場合、摩擦ヒールブロックが折れるベッド架台に据え付けられたことを示す局部拡大図である。
【図６ｂ】図６ｂは折れるベッド架台の傾斜が一番大きい場合、摩擦ヒールブロックが折れるベッド架台に据え付けられたことを示す局部拡大図である。
【考案を実施するための形態】
【００２３】
以下の実施例はこの発明を説明するためのもので、限定するものではなく、図面を参照して、この実用新案の他の特徴と長所とは分かりやすいものである。上記の図面は比例が実際比例ではなく、この実用新案の基本原理を説明するための略図だけである。この実用新案に公開された設計特徴、例えばサイズ、方向、定位、形状は具体的な応用状況と使う環境により確定するものである。明細書に記載した“縦方向”はベッド骨組みの長手方向で、“横方向”はベッド骨組みの短手方向である。
【００２４】
以下実施例と図面とを参照してこの実用新案を詳しく説明する。これらの図面では、同じ参考番号はこの実用新案の同じあるいは等価の部品を示す。
【００２５】
図面ではこの実用新案の電動ベッドの好ましい実施例を示す。
【００２６】
図１と図２によると、当該実施例の電動ベッドは
ベッド骨組み１の長手方向と平行した二つの互いに平行した縦方向のロッド１１を備えるベッド骨組み１と、
ベッド骨組み１に固定された固定ベッド架台２と、
折れるベッド架台３を駆動して傾斜させる駆動モータ４と、
ベッド骨組み１と折れるベッド架台３と駆動モータ４とを連結するリンク機構と、
ベッド骨組み１に設けられる一対の手すり６と、
ベッド骨組み１に設けられる三つの折れるベッド架台と、
を含み、
上記の三つの折れるベッド架台は、ヘッド側の折れるベッド架台と、腿を支持する折れるベッド架台と、脛を支持する折れるベッド架台とを含み、下記の折れるベッド架台３はみんなヘッド側の折れるベッド架台であり、折れるベッド架台３には二つの縦方向のスライドレール３１が取り付けられており、この縦方向のスライドレール３１は折れるベッド架台３の上がる片側に近い。
【００２７】
上記のリンク機構は
二つの縦方向のロッド１１の間に設けられて、横方向の駆動バーの中心軸を回転軸として、ベッド骨組み１に対して回転することができる横方向の駆動バー５３と、
その一端部が横方向の駆動バー５３に固定され、横方向の駆動バーと一緒に回転でき、他の一端部にはスライドブロック５１１を設け、スライドブロック５１１が折れるベッド架台３のスライドレール３１に沿って滑動できる一対の第一連接ロッド５１と、
その一端部は回転できるようにベッド骨組み１に設けられ、他の一端部は回転できるように折れるベッド架台３に設けられる一対の第二連接ロッド５２と、
その一端部は回転できるように縦方向のロッド１１に設けられて、他の端部は回転できるように折れるベッド架台３に設けられた一対の支持アーム５４を含む。
【００２８】
駆動モータ４の一端部はベッド骨組み１の二つの縦方向のロッド１１の間に固定され、他の端部は横方向の駆動バー５３と回転できるように連結した。
【００２９】
図３ａ〜図３ｄは当該実施例の電動ベッドの折れるベッド架台３の傾斜程度が低いから高いまで上がる過程を示す。
【００３０】
この過程では、最初折れるベッド架台３は水平状態（図には示していない）にあり、このとき、リンク機構の第一連接ロッド５１と第二連接ロッド５２はみんな水平状態にあり、第一連接ロッド５１にあるスライドブロック５１１はスライドレール３１の頂上にあり、すなわち折れるベッド架台３に一番近い縁にある。折れるベッド架台の片側を上げる過程では、駆動モータ４により、横方向の駆動バー５３を駆動して、その中心を回って回転させて、すると、横方向の駆動バー５３に固定した第一連接ロッド５１の一端部が上げられ、上げられた第一連接ロッド５１の一端部により、折れるベッド架台３の片側が上げられると同時に、第一連接ロッド５１の当該端部に設けたスライドブロック５１１は折れるベッド架台３のスライドレール３１を滑動し、折れるベッド架台３の一端部が上げられると同時に、折れるベッド架台３と連接する第二連接ロッド５２の長さが一定値であるから、折れるベッド架台３の上げられない片側は第二連接ロッド５２により固定ベッド架台２から離れるようにベッド骨組み１の縦方向のロッド１１の方向に水平に移動し、水平に移動している場合、支持アーム５４の長さが変わらないため、折れるベッド架台３の水平に移動する片側が固定ベッド架台２から離れると同時に、支持アーム５４により少し上げられ、よって、ベッド骨組み１の縦方向のロッド１１と接触しなくなる。折れるベッド架台３の片側が最高位置まで上げられた時、図３ｄに示すように、第一連接ロッド５１にあるスライドブロック５１１はスライドレール３１の低い端部にあり、すなわちスライドレールの折れるベッド架台３の中間位置に一番近い端部にある。
【００３１】
図４ａは折れるベッド架台３が水平状態にある時当該電動ベッドの鳥瞰図であり、図４ｂは折れるベッド架台３の傾斜が一番大きい時当該電動ベッドの鳥瞰図である。図４ａと図４ｂによると、折れるベッド架台３が水平状態から傾斜一番大きい状態に変更した場合、折れるベッド架台３の水平に移動する片側が距離Ｓ移動して、距離Ｓは約３〜８ｃｍで、Ｓ＝５ｃｍが好ましい。この場合、ユーザーの感じは一番よく、かつ、マットレスに対する保護も実現できる。
【００３２】
折れるベッド架台３を水平状態にする過程は、その傾斜を上げる過程とは逆で、駆動モータ４は横方向の駆動バー５３をゆっくり反対方向に回転させて、従って、第一連接ロッド５１を水平状態になるように回転させて、第一連接ロッド５１にあるスライドブロック５１１はスライドレール３１の底端から先端に滑動し、折れるベッド架台３も水平状態になるように回転して、上げられた側がゆっくり下げられると同時に、第二連接ロッド５２により、折れるベッド架台３の上げられない側が固定ベッド架台２に向かって水平に移動し、このとき、支持アーム５４により、折れるベッド架台３が水平状態に戻るまで、折れるベッド架台３の水平に移動する側が依然ベッド骨組み１の縦方向のロッド１１と接触しなくなる。
【００３３】
その他、図５に示したように、水平状態に戻る瞬間に、折れるベッド架台３とベッド骨組み１の縦方向のロッド１１との衝突あるいは摩擦を緩和させるため、また、電動ベッドに負荷がある場合、折れるベッド架台３とベッド骨組み１の縦方向のロッド１１とは衝突したり、摩擦したりして損傷することを避けるため、折れるベッド架台には摩擦ヒールブロック３２を設けた。
【００３４】
図５に示したように、各摩擦ヒールブロック３２に二つのフランジ３２１があり、二つのフランジ３２１の距離が縦方向のロッド１１の広さより少し大きいため、縦方向のロッド１１は二つのフランジ３２１の間にあることができ、摩擦ヒールブロック３２が折れるベッド架台３を滑動することを避け、従って、摩擦ヒールブロック３２は折れるベッド架台３とベッド骨組み１の縦方向のロッド１１との間に介在しているようになった。また、各摩擦ヒールブロック３２は固定用穴３２２を有してもよく、このような固定用穴３２２を利用して、摩擦ヒールブロック３２を折れるベッド架台３に固定して、摩擦ヒールブロック３２が折れるベッド架台３を滑動することをさらに有効的に防ぐことができる。
【００３５】
図６ａは折れるベッド架台３が水平状態になる場合の摩擦ヒールブロック３２の状態を示す。図６ｂは折れるベッド架台３の傾斜が一番大きい場合の摩擦ヒールブロック３２の状態を示す。図６ａによると、折れるベッド架台３が水平状態になる場合、摩擦ヒールブロック３２とベッド骨組み１の縦方向のロッド１１と接触し、衝突と摩擦を緩和させることができる。折れるベッド架台３の傾斜が一番大きく、その上に荷重がない場合、図６ｂに示すように、摩擦ヒールブロック３２はベッド骨組み１の縦方向のロッド１１と接触しなく、この時、もしユーザーがベッドに寝て、あるいはベッドに荷重があると、折れるベッド架台３が重力で下がって、縦方向のロッド１１と接触したら、この時摩擦ヒールブロック３２は折れるベッド架台３と縦方向のロッド１１の間に介在して緩衝器として効く。
【００３６】
以上の実施例は例だけで、この実用新案の範囲を限定するものではない。この分野の当業者はこれを基礎として、この実用新案の権利請求の範囲以内で、同じ機能を実現できる他の実施方式を想像できる。たとえば、スライドブロックとスライドレールとの組み合わせは、スライドブロックと凹溝との組み合わせ、あるいは滑車とスライドレールとの組み合わせで代替し、ガードレールの位置は実施例に記載した位置に限らなく、リンク機構は“Ｘ”形のリンク機構により代替してもよく、当該機構はヘッド側に設けられることに限らない。
【００３７】
当業者は複数の実施例と変形例およびそれらの改良案を知っていて、顕然矛盾がある状況、あるいは兼用できない状況以外、この実用新案の上記の特徴、変形方式と／あるいは具体実施例は組み合わせることができる。あらゆる実施例と変形例および改良はみんなこの実用新案の保護範囲に属すものである。
【図１】
0003212415.tif 000003
【図２】
0003212415.tif 000004
【図３ａ】
0003212415.tif 000005
【図３ｂ】
0003212415.tif 000006
【図３ｃ】
0003212415.tif 000007
【図３ｄ】
0003212415.tif 000008
【図４ａ】
0003212415.tif 000009
【図４ｂ】
0003212415.tif 000010
【図５】
0003212415.tif 000011
【図６ａ】
0003212415.tif 000012
【図６ｂ】
0003212415.tif 000013